【手続補正書】
【提出日】平成20年11月13日(2008.11.13)
【手続補正１】
【補正対象書類名】特許請求の範囲
【補正対象項目名】全文
【補正方法】変更
【補正の内容】
【特許請求の範囲】
【請求項１】
防曇剤で被覆された少なくとも外部ヒートシール層を含む一層防曇フィルム構造体または多層防曇フィルム構造体であって、
前記外部ヒートシール層がエチレンコポリマー、変性エチレンコポリマーまたは両方を含むか、またはそれらから製造され、
前記エチレンコポリマーが、前記外部ヒートシール層の全重量を基準にして、（１）エチレン酢酸ビニル、エチレンメタクリル酸およびエチレンメチルアクリレートのうちの１種以上５０〜９０重量％と、（２）イオノマー５〜４０重量％と、（３）任意に、１種以上の滑剤と１種以上の粘着防止剤とを含有するエチレン酢酸ビニルコポリマーマスターバッチ５〜１０％とを含むブレンドであり、
前記防曇剤が金属塩およびエステルを含むアルカノールまたはアルカン酸であり、
前記防曇剤の量が前記外部ヒートシール層平方メートル当たり０．０３ｇ〜１ｇであり、
前記エチレンコポリマーが、前記エチレンコポリマーまたは変性エチレンコポリマーの全重量を基準にして、酢酸ビニル、ビニルアセテート、プロピオン酸ビニル、アクリル酸、メタクリル酸、エタクリル酸、ビニルアセテート、メチルアクリレート、エチルアクリレート、メチルメタクリレート、エチルメタクリレート、プロピルアクリレート、プロピルメタクリレート、イソプロピルアクリレート、イソプロピルメタクリレート、ブチルアクリレート、ブチルメタクリレート、イソブチルアクリレート、イソブチルメタクリレート、ｔ−ブチルアクリレート、ｔ−ブチルメタクリレート、オクチルアクリレート、オクチルメタクリレート、ウンデシルアクリレート、ウンデシルメタクリレート、オクタデシルアクリレート、オクタデシルメタクリレート、ドデシルアクリレート、ドデシルメタクリレート、２−エチルヘキシルアクリレート、２−エチルヘキシルメタクリレート、イソボルニルアクリレート、イソボルニルメタクリレート、ラウリルアクリレート、ラウリルメタクリレート、２−ヒドロキシエチルアクリレート、２−ヒドロキシエチルメタクリレート、グリシジルアクリレート、グリシジルメタクリレート、ポリ（エチレングリコール）アクリレート、ポリ（エチレングリコール）メタクリレート、ポリ（エチレングリコール）メチルエーテルアクリレート、ポリ（エチレングリコール）メチルエーテルメタクリレート、ポリ（エチレングリコール）ベヘニルエーテルアクリレート、ポリ（エチレングリコール）ベヘニルエーテルメタクリレート、ポリ（エチレングリコール）４−ノニルフェニルエーテルアクリレート、ポリ（エチレングリコール）４−ノニルフェニルエーテルメタクリレート、ポリ（エチレングリコール）フェニルエーテルアクリレート、ポリ（エチレングリコール）フェニルエーテルメタクリレート、ジメチルマレエート、ジエチルマレエート、ジブチルマレエート、ジメチルフマレート、ジエチルフマレート、ジブチルフマレート、ジメチルフマレートまたはそれらの２種以上の組み合わせからなる群から選択された１種以上の極性モノマー約５〜約５０重量％とエチレンとから誘導された反復単位を含むコポリマーまたはターポリマーあるいはテトラポリマーであるフィルム構造体。
【請求項２】
前記外部ヒートシール層が前記変性エチレンコポリマーの全量を基準にして０．００１〜３５重量％の少なくとも１種の粘着性付与剤で変性されたエチレンコポリマーを含み、前記防曇剤がソルビタン脂肪酸エステル、グリセロールモノステアレート、グリセロールモノオレエート、脂肪アルコールまたはそれらの２種以上の組み合わせである、請求項１に記載のフィルム構造体。
【請求項３】
前記外部ヒートシール層に加えて１層以上の追加の層を含み、前記１層以上の追加の層がナイロン、ポリプロピレン、ポリエチレン、イオノマー、酸コポリマー、ポリエチレン酢酸ビニル、ポリエチレンテレフタレート、ポリスチレン、ポリエチレンビニルアルコール、ポリ塩化ビニリデンまたはそれらの２種以上の組み合わせを含むか、またはそれらから製造される、請求項１または２に記載のフィルム構造体。
【請求項４】
請求項１〜３のいずれか一項に記載のフィルム構造体を製造する方法であって、アルコール、イソプロパノールまたはそれらの組み合わせである溶媒に防曇剤を溶解させて防曇剤溶液を製造する工程と、前記防曇剤溶液の全重量を基準にして０．２〜１０重量％の防曇剤を含有する前記防曇剤溶液を外部ヒートシール層上に被着させて、前記外部ヒートシール層上に被膜を作る工程と、前記被膜を任意に硬化させる工程とを含む方法。
【請求項５】
請求項１〜３のいずれか一項に記載のフィルム構造体を含む食品用の包装。
【請求項６】
前記フィルム構造体で覆われた開口端を含む容器であって、農産物または新鮮な農産物、肉、すぐに食べられる食事、加工調理済み食品、シーフードまたはそれらの２種以上の組み合わせを任意に含む容器を含む、請求項５に記載の包装。
【手続補正２】
【補正対象書類名】明細書
【補正対象項目名】００７１
【補正方法】変更
【補正の内容】
【００７１】
従って、本発明による防曇フィルム構造体の使用が従来のチルド食品流通チェーンを通して製品を輸送し、移動させるのを容易にする場合がある。
次に、本発明の好ましい態様を示す。
1.  防曇剤で被覆された少なくとも外部ヒートシール層を含む一層防曇フィルム構造体または多層防曇フィルム構造体であって、前記外部ヒートシール層がエチレンコポリマー、変性エチレンコポリマーまたは両方を含むか、またはそれらから製造され、前記エチレンコポリマーが、前記エチレンコポリマーまたは変性エチレンコポリマーの全重量を基準にして、ビニルアルカン酸、アクリル酸、アルキルアクリル酸およびアルキルアクリレートからなる群から選択された１種以上の極性モノマー約５〜約５０重量％とエチレンとから誘導された反復単位を含むコポリマーまたはターポリマーあるいはテトラポリマーであるフィルム構造体。
2.  前記極性モノマーが酢酸ビニル、ビニルアセテート、プロピオン酸ビニル、アクリル酸、メタクリル酸、エタクリル酸、ビニルアセテート、メチルアクリレート、エチルアクリレート、メチルメタクリレート、エチルメタクリレート、プロピルアクリレート、プロピルメタクリレート、イソプロピルアクリレート、イソプロピルメタクリレート、ブチルアクリレート、ブチルメタクリレート、イソブチルアクリレート、イソブチルメタクリレート、ｔ−ブチルアクリレート、ｔ−ブチルメタクリレート、オクチルアクリレート、オクチルメタクリレート、ウンデシルアクリレート、ウンデシルメタクリレート、オクタデシルアクリレート、オクタデシルメタクリレート、ドデシルアクリレート、ドデシルメタクリレート、２−エチルヘキシルアクリレート、２−エチルヘキシルメタクリレート、イソボルニルアクリレート、イソボルニルメタクリレート、ラウリルアクリレート、ラウリルメタクリレート、２−ヒドロキシエチルアクリレート、２−ヒドロキシエチルメタクリレート、グリシジルアクリレート、グリシジルメタクリレート、ポリ（エチレングリコール）アクリレート、ポリ（エチレングリコール）メタクリレート、ポリ（エチレングリコール）メチルエーテルアクリレート、ポリ（エチレングリコール）メチルエーテルメタクリレート、ポリ（エチレングリコール）ベヘニルエーテルアクリレート、ポリ（エチレングリコール）ベヘニルエーテルメタクリレート、ポリ（エチレングリコール）４−ノニルフェニルエーテルアクリレート、ポリ（エチレングリコール）４−ノニルフェニルエーテルメタクリレート、ポリ（エチレングリコール）フェニルエーテルアクリレート、ポリ（エチレングリコール）フェニルエーテルメタクリレート、ジメチルマレエート、ジエチルマレエート、ジブチルマレエート、ジメチルフマレート、ジエチルフマレート、ジブチルフマレート、ジメチルフマレートまたはそれらの２種以上の組み合わせであり、好ましくは、ビニルアセテート、アクリル酸、メタクリル酸またはアルキル（メタ）アクリレートである、上記１に記載のフィルム構造体。
3.  前記外部ヒートシール層の前記エチレンコポリマーが（１）前記外部ヒートシール層の全重量を基準にして、エチレン酢酸ビニルとエチレンメチルアクリレートのうちの１種以上約５０〜約９０重量％と（２）イオノマー約５〜約４０重量％とを含むブレンドであり、前記ブレンドが、前記外部ヒートシール層の全重量を基準にして、１種以上の滑剤と１種以上の粘着防止剤とを含有するエチレン酢酸ビニルコポリマーマスターバッチ約５〜約１０重量％を任意に含む、上記１または２に記載のフィルム構造体。
4.  前記防曇剤の量が前記外部ヒートシール層平方メートル当たり約０．０３ｇ〜約１ｇである、上記１〜３のいずれか一項に記載のフィルム構造体。
5.  前記防曇剤が金属塩およびエステルを含むアルカノールまたはアルカン酸である、上記１〜４のいずれか一項に記載のフィルム構造体。
6.  前記防曇剤がソルビタン脂肪酸エステル、グリセロールモノステアレート、グリセロールモノオレエート、脂肪アルコールまたはそれらの２種以上の組み合わせであり、好ましくはグリセロールモノオレエートである、上記６に記載のフィルム構造体。
7.  前記外部ヒートシール層が前記変性エチレンコポリマーの全量を基準にして約０．００１〜約３５重量％の少なくとも１種の粘着性付与剤で変性されたエチレンコポリマーを含み、前記粘着性付与剤が好ましくはパラ−クマロン−インデン樹脂、テルペン樹脂、ブタジエンスチレン樹脂、ポリブタジエン樹脂、炭化水素樹脂、ロジンまたはそれらの２種以上の組み合わせである、上記１〜６のいずれか一項に記載のフィルム構造体。
8.  前記外部ヒートシール層に加えて１層以上の追加の層を含み、前記１層以上の追加の層がナイロン、ポリプロピレン、ポリエチレン、イオノマー、酸コポリマー、ポリエチレン酢酸ビニル、ポリエチレンテレフタレート、ポリスチレン、ポリエチレンビニルアルコール、ポリ塩化ビニリデンまたはそれらの２種以上の組み合わせを含むか、またはそれらから製造される、上記１〜７のいずれか一項に記載のフィルム構造体。
9.  上記１〜８のいずれか一項に記載のフィルム構造体を製造する方法であって、好ましくはアルコール、イソプロパノールまたはそれらの組み合わせである溶媒に防曇剤を溶解させて防曇剤溶液を製造する工程と、前記防曇剤溶液を外部ヒートシール層上に被着させて、前記外部ヒートシール層上に被膜を作る工程と、前記被膜を任意に硬化させる工程とを含む方法。
10.  前記防曇剤溶液が前記防曇剤溶液の全重量を基準にして約０．２〜約１０重量％の防曇剤を含有し、前記防曇剤が好ましくはグリセロールモノオレエートである、上記９に記載の方法。
11.  上記１〜８のいずれか一項に記載のフィルム構造体を含む食品用の包装。
12.  前記フィルム構造体で覆われた開口端を含む容器であって、農産物または新鮮な農産物、肉、すぐに食べられる食事、加工調理済み食品、シーフードまたはそれらの２種以上の組み合わせを任意に含む容器を含む、上記１１に記載の包装。